(57)【要約】【課題】顧客に作業内容に応じた十分なレンタル情報を提供する。【解決手段】顧客端末９を介し顧客が作業内容のデータを入力する。作業内容管理データベース２には作業内容に応じた必要機材の一覧が記憶され、在庫管理データベース４には必要機材のレンタル状況が記憶されている。レンタル管理サーバ５は作業内容に応じた必要機材および必要機材のレンタル状況をデータベース２，４から読み出し、その結果を顧客のモニタ９ｂに表示する。顧客は、このモニタ画面を見ながら必要機材の中からレンタルすべき機材を選択し、予約ボタン１１ｈをクリックしてレンタル予約する。【選択図】図１０
2004164183.tif 000002
【特許請求の範囲】
【請求項１】
顧客側の端末およびレンタル会社側の管理サーバ間のデータの授受により顧客に機材のレンタル情報を提供するレンタル見積もり方法であって、
顧客端末から作業内容のデータを入力するデータ入力手順と、
その作業内容に応じた複数の必要機材の一覧とその必要機材のレンタル情報を所定のデータベースから読み出し、顧客に報知する必要機材報知手順とを有することを特徴とするレンタル見積もり方法。
【請求項２】
請求項１に記載のレンタル見積もり方法において、
前記必要機材報知手順で報知された必要機材からレンタル機材を選択する機材選択手順を有することを特徴とするレンタル見積もり方法。
【請求項３】
請求項１または２項記載のレンタル見積もり方法において、
前記必要機材以外のレンタル機材を追加する機材追加手順を有することを特徴とするレンタル見積もり方法。
【請求項４】
請求項３に項記載のレンタル見積もり方法において、
前記機材選択手順で選択した機材および前記機材追加手順で追加した機材をレンタル予約する予約手順を有することを特徴とするレンタル見積もり方法。
【請求項５】
レンタル顧客によりデータが入力されるデータ入力手段と、
作業内容に応じた必要機材の一覧が記憶される作業内容管理データベースと、
前記必要機材のレンタル情報が記憶される在庫管理データベースと、
前記データ入力手段により作業内容のデータが入力されると、前記作業内容管理データベースおよび在庫管理データベースから作業内容に応じた複数の必要機材とその必要機材のレンタル情報を読み出すレンタル管理サーバと、
前記レンタル管理サーバに読み出された情報を顧客に報知する報知手段とを備えることを特徴とするレンタル見積もりシステム。
【請求項６】
請求項５に記載のレンタル見積もりシステムにおいて、
前記データ入力手段にはさらにレンタル期間のデータが入力可能であり、
前記データ入力手段に入力されたレンタル期間を前記必要機材ごとに個別に変更するレンタル期間変更手段を有することを特徴とするレンタル見積もりシステム。
【請求項７】
請求項５または６に記載のレンタル見積もりシステムにおいて、
前記必要機材の仕様に係わる情報を記憶する機材管理データベースを有し、
前記データ入力手段に所定の詳細情報表示指令が入力されると、前記レンタル管理サーバは前記機材管理データベースから前記必要機材に応じた情報を読み出し、顧客に報知することを特徴とするレンタル見積もりシステム。
【請求項８】
請求項７に記載のレンタル見積もりシステムにおいて、
前記機材管理データベースには同種の用途に属する必要機材がグループ化して記憶され、
前記データ入力手段により所定の入力がなされると、前記必要機材を前記グループ化の中から選択的に変更する機材変更手段を備えることを特徴とするレンタル見積もりシステム。
【請求項９】
請求項８に記載のレンタル見積もりシステムにおいて、
前記データ入力手段に所定の機材追加指令が入力されると、前記機材管理データベースから必要機材を追加して設定する追加手段とを有することを特徴とするレンタル見積もりシステム。
【請求項１０】
画面表示にしたがって作業内容を入力するための入力手段と、
表示画面から入力された作業内容を認識する認識手段と、
認識された作業内容をサーバへ送信する送信手段と、
前記作業内容に基づいて前記サーバで検索された、その作業内容に応じた複数の種類の機材とそれらの機材に関するレンタル情報を受信する受信手段と、
前記作業内容を入力するための画面を表示し、前記受信した複数種類の機材とそれらのレンタル情報とを画面表示する表示手段とを備えるレンタル情報取得用端末。
【請求項１１】
作業内容を入力するための画面を生成して表示する手順と、
表示画面から入力された作業内容を認識する手順と、
認識された作業内容をサーバへ送信する手順と、
送信した作業内容に基づいて検索された、その作業内容に応じた複数種類の機材とそれら機材に関するレンタル情報を受信する手順と、
受信した機材とレンタル情報を示す画面を生成して表示する手順とをコンピュータで実行するためのレンタル情報取得用プログラム。
【請求項１２】
作業内容に対応する、少なくとも複数種類の機材およびそれら機材に関するレンタル情報が記憶されるデータベースと、
端末から送信されてくる作業内容を認識する認識手段と、
認識された作業内容に基づいて前記データベースを検索し、その作業内容に応じて複数種類の機材とそれら機材に関するレンタル情報とを取得する検索手段と、
検索された機材およびレンタル情報を端末へ送信する送信手段とを備えるレンタル情報取得用サーバ。
【発明の詳細な説明】
【０００１】
【発明の属する技術分野】
本発明は、作業に必要なレンタル機材やレンタル料等のレンタル情報を提供するレンタル見積もり方法、レンタル見積もりシステム、レンタル情報取得用端末、レンタル情報取得用プログラム、およびレンタル情報取得用サーバに関する。
【０００２】
【従来の技術】
従来、この種のレンタル見積もりシステムとして、例えば顧客の売り上げ高に応じてレンタル料を決定するものが知られている（例えば特許文献１参照）。このシステムでは、保守管理情報を記憶したデータベースから作業内容や工事期間に適した単一の機種を選択し、その機種の使用による売り上げ高と必要経費を算出し、これらを基にレンタル料を見積もる。
【０００３】
【特許文献１】
特開２００２−１０９２９２１号公報
【０００４】
【発明が解決しようとする課題】
上記公報記載のシステムでは単一の機種を選択するので、作業機単体の見積もりしか行われない。しかしながら、作業現場では作業内容に応じて複数の機材が必要であり、作業機単体の見積もりだけでは、顧客に十分なレンタル情報を提供することができない。とくに顧客が未経験の分野の作業を行う場合にはどのような機材が必要かがわからず、顧客自身がカタログ等を調べて作業機材を選定するなどの煩わしさがある。
【０００５】
本発明の目的は、顧客に十分なレンタル情報を提供することができるレンタル見積もり方法およびシステムを提供することにある。
【０００６】
【課題を解決するための手段】
本発明によるレンタル見積もり方法は、顧客側の端末およびレンタル会社側の管理サーバ間のデータの授受により顧客に機材のレンタル情報を提供するレンタル見積もり方法であって、顧客端末から作業内容のデータを入力するデータ入力手順と、その作業内容に応じた複数の必要機材の一覧とその必要機材のレンタル情報を所定のデータベースから読み出し、顧客に報知する必要機材報知手順とを有することにより上述した目的を達成する。
本発明によるレンタル見積もりシステムは、レンタル顧客によりデータが入力されるデータ入力手段と、作業内容に応じた必要機材の一覧が記憶される作業内容管理データベースと、必要機材のレンタル情報が記憶される在庫管理データベースと、データ入力手段により作業内容のデータが入力されると、作業内容管理データベースおよび在庫管理データベースから作業内容に応じた必要機材とその必要機材のレンタル情報を読み出すレンタル管理サーバと、レンタル管理サーバに読み出された情報を顧客に報知する報知手段とを備えることにより上述した目的を達成する。
本発明によるレンタル情報取得用端末は、画面表示にしたがって作業内容を入力するための入力手段と、表示画面から入力された作業内容を認識する認識手段と、認識された作業内容をサーバへ送信する送信手段と、作業内容に基づいてサーバで検索された、その作業内容に応じた複数の種類の機材とそれらの機材に関するレンタル情報を受信する受信手段と、作業内容を入力するための画面を表示し、受信した複数種類の機材とそれらのレンタル情報とを画面表示する表示手段とを備えることにより上述した目的を達成する。
本発明によるレンタル情報取得用プログラムは、作業内容を入力するための画面を生成して表示する手順と、表示画面から入力された作業内容を認識する手順と、認識された作業内容をサーバへ送信する手順と、送信した作業内容に基づいて検索された、その作業内容に応じた複数種類の機材とそれら機材に関するレンタル情報を受信する手順と、受信した機材とレンタル情報を示す画面を生成して表示する手順とをコンピュータで実行することにより上述した目的を達成する。本発明によるレンタル情報取得用サーバは、作業内容に対応する、少なくとも複数種類の機材およびそれら機材に関するレンタル情報が記憶されるデータベースと、端末から送信されてくる作業内容を認識する認識手段と、認識された作業内容に基づいてデータベースを検索し、その作業内容に応じて複数種類の機材とそれら機材に関するレンタル情報とを取得する検索手段と、検索された機材およびレンタル情報を端末へ送信する送信手段とを備えることにより上述した目的を達成する。
【０００７】
【発明の実施の形態】
以下、図１〜図１０を参照して本発明によるレンタル見積もりシステムを建設作業に適用した実施の形態について説明する。
図１は、本実施の形態に係わるレンタル見積もりシステムの概略構成図である。レンタル管理サーバ５はレンタル顧客の認証登録を行う顧客管理データベース１と、所定内容の作業に必要な機材（必要機材）を管理する作業内容管理データベース２と、機材の詳細情報を管理する機材管理データベース３と、レンタル機材の在庫管理を行う在庫管理データベース４とを有する。レンタル管理サーバ５には、いわゆる社内ＬＡＮ（イントラネット）６を介して複数のレンタル営業所のコンピュータ端末（以下、営業所端末）７が接続されるとともに、インターネット網８を介して複数のレンタル顧客のコンピュータ端末（以下、顧客端末）９が接続されている。営業所端末７および顧客端末９はマウスやキーボード７ａ，９ａとモニタ７ｂ，９ｂとを有する。
【０００８】
作業内容管理データベース２に記憶されるデータ内容を図２に示す。作業内容は大分類、中分類、小分類の３段階に階層化され、小分類で具体的工事が選択される。これら階層化された作業内容データは記憶部２Ａ，２Ｂ，２Ｃにそれぞれ記憶されている。記憶部２Ｄには記憶部２Ｃに記憶された各工事に必要な標準的な機材データの一覧が記憶されている。なお、記憶部２Ｄの規模係数は、作業面積等の工事規模に応じた必要機材の大きさを示す係数である。すなわち作業面積が大きいと規模係数は大きく設定され、大型の機材が選択される。
【０００９】
機材管理データベース３に記憶されるデータ内容を図３に示す。機材管理データベース３では用途ごとに機材がグループ化されている。すなわち分類１で用途に分類され、分類２で各用途に応じた機材に分類されている。これらのデータはそれぞれ記憶部３Ａ，３Ｂに記憶されている。記憶部３Ｃには各機材の仕様（型式、積載荷重、最大走行速度など）が記憶されている。
【００１０】
在庫管理データベース４に記憶されるデータ内容を図４に示す。データベース４には各レンタル営業所が管理する機材名と、その機材のレンタル予約の有無（レンタル状況のデータ）が月単位で日ごとに記憶されている。なお、このレンタルデータは、顧客端末９からの入力によりレンタル予約がなされると、またはキャンセルされるとレンタル管理サーバ５での処理により更新される。レンタルデータは営業所端末７からの入力によっても更新可能である。
【００１１】
図５〜図９は、顧客のモニタ９ｂに表示される表示画面の一例を示す図であり、図１０は、レンタル予約に係わる顧客端末９およびレンタル管理サーバ５間の処理手順の一例を示すフローチャートである。以下、図１０のフローチャートにしたがって本実施の形態に係わるレンタル見積もり方法を説明する。
【００１２】
（手順１）ユーザＩＤ、パスワード入力
顧客端末９には予めレンタル情報取得用のプログラムが格納され、レンタル顧客の所定の入力操作によりプログラムが実行される。まず、レンタル顧客の入力操作により顧客端末５からレンタル管理サーバ５にアクセスし、ユーザＩＤとパスワードを入力する（ステップＳ１）。レンタル管理サーバ５は、顧客データベース１からデータを読み出して、入力されたユーザＩＤ、パスワードの認証処理を行い、正規ユーザであれば顧客端末９からのアクセスを許可する（ステップＳ１０）。これにより、顧客端末９のモニタには図５に示すような作業内容の入力画面１０（作業内容入力画面）が表示される（ステップＳ２）。
【００１３】
（手順２）データ入力
作業内容入力画面１０が表示されると、顧客はその画面情報にしたがいマウスやキーボード９ａを使って作業内容およびレンタル予約に必要な他の情報を入力する。具体的には、図５の表示部１０ａにレンタル開始年月日を入力し、表示部１０ｂに作業内容を入力し、表示部１０ｃに工事の受注金額を入力し、表示部１０ｄに工事期間を入力し、表示部１０ｅに作業時間帯を入力し、表示部１０ｆに作業場所を入力する。表示部１０ｂは作業内容管理データベース２の分類に即して大分類、中分類、小分類、工事規模の各項目に分けられ、レンタル顧客はこれら各項目をクリックして複数のデータをプルダウン表示させ、それぞれ該当するデータを選択する。作業内容入力画面１０におけるデータ入力が終了すると、顧客は確定ボタン１０ｇをクリックする。なお、マウスやキーボード９ａからのデータ入力はＣＰＵが認識する。
【００１４】
（手順３）必要機材表示
確定ボタン１０ｇをクリックすると、レンタル管理サーバ５は、作業内容管理データベース２からデータを読み出して作業内容の入力データに対応する必要機材を選択するとともに、在庫管理データベース４からデータを読み出してその必要機材のレンタル状況を検索する（ステップＳ１１）。これにより顧客のモニタ９ｂには図６に示すようなレンタル機材の選択画面１１（レンタル機材選択画面）が表示される（ステップＳ３）。
【００１５】
図６に示すように、表示部１１ａには作業内容管理データベース２から読み出された必要機材の一覧が表示され、表示部１１ｂには個々のレンタル価格およびレンタル期間が表示され、表示部１１ｃには顧客が必要機材をレンタルするか否かを選択するチェック欄が表示されている。レンタル管理サーバ５では、顧客が入力したレンタル期間と在庫管理データベース４から読み出した機材のレンタル状況とを比較してレンタルが可能か否かを判定し、その結果を表示部１１ａに明暗表示させる。図中、レンタル可能な機材（油圧ショベル、振動ローラ、投光機）は明表示され、レンタル不可能な機材（発電機）は暗表示されている。
【００１６】
なお、レンタル管理サーバ５では作業内容管理データベース２から必要機材を読み出して表示するだけでなく、その必要機材と同一グループの機材を機材管理データベース３から読み出してプルダウン表示可能とする。すなわち、表示部１１ａをクリックすると表示部１１ａには機材管理データベース３から読み出した機材がプルダウンされ、顧客はリストアップされた中から所望の機材を選択する。これにより作業内容管理データベース２から読み出された機材以外のものが必要機材として表示され、必要機材を同一グループの機材に容易に変更することができる。
【００１７】
（手順４）機材詳細表示
レンタル機材選択画面１１には、各必要機材に対応して詳細ボタン１１ｄが表示される。詳細ボタン１１ｄをクリックすると詳細情報表示指令が出力され、レンタル管理サーバ５は機材管理データベース３および在庫管理データベース４からその必要機材に対応するデータを読み出す（ステップＳ１２）。これにより顧客のモニタ９ｂには図７に示すような詳細情報（詳細情報表示画面１２）が表示される（ステップＳ４）。
【００１８】
図７に示すように、表示部１２ａには詳細情報を表示する機材の名称が表示され、表示部１２ｂには機材管理データベース３に記憶された仕様に係わる情報が表示され、表示部１２ｃにはレンタル期間およびレンタル料金が表示され、表示部１２ｄには在庫管理データベース４に記憶された機材のレンタル状況が表示される。なお、表示部１２ｄには月単位で日ごとにカレンダーが表示され、このカレンダーの明暗表示によりレンタル状況が示される。すなわち図中、レンタル可能な日は明表示され、レンタル不可能な日は暗表示されている。表示部１２ｄのカレンダーを変更するときはシフトボタン１２ｅをクリックする。
【００１９】
（手順５）レンタル期間変更
詳細情報表示画面１２では、期間調整ボタン１２ｆのクリックによりレンタル期間の変更も可能である。すなわち期間調整ボタン１２ｆをクリックすると表示部１２ｃでの入力が可能となり、顧客は表示部１２ｃに新たなレンタル期間を入力する。これにより個々の機材ごとに異なったレンタル期間を設定することができる。なお、戻るボタン１２ｇをクリックするとモニタ９ｂには再びレンタル機材選択画面１１が表示される。この場合、詳細情報表示画面１２でレンタル期間を変更したときはそれに合わせて表示部１１ｂの表示も変更される。
【００２０】
（手順６）機材選択
次いで、顧客はレンタル機材選択画面１１の中からレンタルすべき機材を選択し、表示部１１ｃにチェックする。必要機材のうち、既に顧客が持っているものがあればあえてレンタルする必要がないので、レンタルの要否は顧客自身が判断する。この場合、レンタルができない機材（発電機）については、表示部１１ｃでのチェックも入力できないようになっている。
【００２１】
（手順７）機材追加
レンタル機材選択画面１１に表示された必要機材以外の機材（追加機材）をレンタルするときは追加ボタン１１ｆをクリックする。追加ボタン１１ｆをクリックすると機材追加指令が出力され、レンタル管理サーバ５は機材管理データベース３および在庫管理データベース４からデータを読み込む（ステップＳ１３）。これによりモニタ９ｂには図８に示すような追加機材の選択画面１３（追加機材選択画面）が表示される（ステップＳ５）。
【００２２】
図８に示すように、追加機材選択画面１３には、機材管理データベース３の記憶部３Ａ，３Ｂ，３Ｃに対応して表示部１３ａ，１３ｂ，１３ｃが設けられている。表示部１３ａ，１３ｂには用途および用途に応じた機材がそれぞれ表示され、顧客は表示部１３ａ，１３ｂで追加機材を選択する。これにより表示部１３ｃには追加機材の仕様が表示される。また、表示部１３ｄにはレンタル期間およびレンタル料金が表示され、表示部１３ｅには在庫管理データベース４から読み出した機材のレンタル状況が月単位で表示される。なお、表示部１３ｄでの入力によってレンタル期間が変更可能となっている。表示部１３ｅのカレンダーを変更するときはシフトボタン１３ｆをクリックする。
【００２３】
追加機材選択画面１３の追加ボタン１３ｇをクリックするとレンタル機材選択画面１１に戻り、図６に示すように表示部１１ｅに追加機材が表示される。また、キャンセルボタン１３ｈをクリックすると追加機材選択画面１３での入力がキャンセルされる。レンタル機材選択画面１１上で追加機材をキャンセルするときは削除ボタン１１ｆをクリックする。また、作業内容のデータ入力からやり直すときは戻るボタン１１ｉをクリックする。これによりモニタ９ｂには作業内容入力画面１０が表示され、作業内容の入力が可能となる。
【００２４】
（手順８）レンタル予約
レンタル機材選択画面１１上でレンタル機材（必要機材と追加機材）の選択が終了すると、予約ボタン１１ｈをクリックする。これにより顧客端末９はレンタル管理サーバ５に予約データを送信し、レンタル予約を申し込む（ステップＳ６）。レンタル管理サーバ５はその予約データを在庫管理データベース４に登録し、レンタル予約を受け付ける（ステップＳ１４，ステップＳ１５）。
【００２５】
レンタル予約受付が終了すると顧客端末９のモニタには図９に示すような予約受付画面１４が表示される（ステップＳ７）。予約受付画面１４には、レンタル機材、個々のレンタル価格、レンタル期間、およびレンタル価格の合計が表示される。顧客は予約受付画面１４によりレンタル内容を確認し、確認ボタン１４ａをクリックする。これにより、レンタル予約が終了する。
【００２６】
本実施の形態のレンタル見積もりシステムによれば以下のような効果を奏する。
（１）  顧客端末９から作業内容やレンタル期間を入力し、この入力データに応じた必要機材の一覧および必要機材のレンタル状況を作業内容管理データベース２、在庫管理データベース４からレンタル管理サーバ５が読み出し、その結果を顧客端末９のモニタ９ｂに表示するようにした。したがって、顧客に十分なレンタル情報を提供することができる。これにより顧客が未経験の分野の作業を行う場合であっても顧客自身がカタログ等を調べて必要機材を選定する必要がなく、顧客の負担が軽減される。
（２）  レンタル機材選択画面１１の表示部１１ｃをチェック入力することでレンタル機材を選択するので、表示部１１ａに複数の必要機材が表示された場合に、顧客の要望に応じてレンタルする機材を容易に選択することができる。
（３）  作業内容入力画面１０で作業内容を大分類、中分類、小分類の３段階に階層化して表示するので、顧客にとって作業内容の入力が容易である。
（４）  レンタル機材選択画面１１に表示された個々の機材に対応して詳細ボタン１１ｄを設け、この詳細ボタン１１ｄのクリックにより画面を切り換え、個々の機材の詳細情報を詳細情報表示画面１２に表示させるので、顧客がレンタルの要否を判断する際に役立つ。
（５）  詳細情報表示画面１２に機材のレンタル状況を月単位のカレンダーで表示するので、レンタル状況を容易に把握することができ、レンタルの予定をたてやすい。
（６）  期間調整ボタン１２ｆのクリックにより個々の機材のレンタル期間を変更可能としたので、作業工程に応じた必要最低限のレンタル期間を設定することができ、レンタル料を低減することができる。
（７）  レンタル機材選択画面１１での表示部１１ａのクリックにより必要機材を他の同種の機材に変更可能としたので、必要機材がレンタル中である場合等に代替機材を容易に選択することができる。
（８）  追加ボタン１１ｆのクリックにより任意に追加機材をレンタル可能としたので、作業内容に応じた標準的な機材以外に特殊な機材が必要な場合であっても一度のレンタル予約で済ませることができる。
（９）  機材管理データベース３に用途に応じて機材をグループ化して記憶するので、顧客は用途に応じた機材の追加を容易に行うことができる。
（１０）  モニタ９ｂ上でレンタル情報を確認した上で、予約ボタン１１ｈのクリックによりレンタル予約を行うので、レンタル予約作業が容易である。
（１１）  レンタル予約により在庫管理データベース４のレンタル状況のデータが自動的に更新されるので、レンタル会社も予約管理を容易に行うことができる。
【００２７】
本発明によるレンタル管理システムは、上述した実施の形態に限定されることなく種々の変更が可能である。上記実施の形態では、報知手段としてモニタ９ａにレンタル情報を表示させるようにしたが、レンタル情報をプリンタ等に直接出力したり、音声で出力してもよい。データ入力手段としてマウスやキーボード９ｂを用いたが、音声入力等によりデータ入力してもよい。期間調整ボタン１２ｆをクリックしてレンタル期間を個別に変更可能としたが、レンタル期間変更手段として他の構成を採用してもよい。表示部１１ｂでのクリックにより必要機材を変更可能としたが、機材変更手段として他の構成を採用してもよい。インターネット網８を利用してデータの送受信を行うようにしたが、他の通信手段を用いてもよい。必要機材の在庫がない場合、他の提携先とデータを送受信して在庫があればそれを廻してもらうようにしてもよい。レンタル会社からレンタル顧客に向けて、レンタル確認のメールをレンタル開始の数日前に送信するようにしてもよい。
【００２８】
本発明は、建設作業以外に用いられるレンタル機材にも適用することができる。すなわち、作業内容入力画面１０で入力する作業内容は建設作業だけでなくイベント準備作業等であってもよい。
【００２９】
【発明の効果】
以上詳細に説明したように、本発明によれば、顧客が作業内容を入力するとその作業内容に応じた複数の必要機材の一覧および必要機材のレンタル状況を顧客に報知するようにしたので、顧客に十分なレンタル情報を提供することができる。これにより顧客は所定の作業に必要なレンタル機材を容易に把握することができる。
【図面の簡単な説明】
【図１】本発明の実施の形態に係わるレンタル見積もりシステムの概略構成図。
【図２】本実施の形態に係わるレンタル見積もりシステムを構成する作業内容管理データベースの内容を示す図。
【図３】本実施の形態に係わるレンタル見積もりシステムを構成する機材管理データベースの内容を示す図。
【図４】本実施の形態に係わるレンタル見積もりシステムを構成する在庫管理データベースの内容を示す図。
【図５】本実施の形態に係わるレンタル見積もりシステムを構成するモニタの表示画面の一例であり、作業内容入力画面を示す図。
【図６】本実施の形態に係わるレンタル見積もりシステムを構成するモニタの表示画面の一例であり、レンタル機材選択画面を示す図。
【図７】本実施の形態に係わるレンタル見積もりシステムを構成するモニタの表示画面の一例であり、詳細情報表示画面を示す図。
【図８】本実施の形態に係わるレンタル見積もりシステムを構成するモニタの表示画面の一例であり、追加機材選択画面を示す図。
【図９】本実施の形態に係わるレンタル見積もりシステムを構成するモニタの表示画面の一例であり、レンタル受付画面を示す図。
【図１０】本実施の形態に係わるレンタル見積もりシステムを構成する顧客端末とレンタル管理サーバ間の処理手順の一例を示すフローチャート。
【符号の説明】
２  作業内容管理データベース      ３  機材管理データベース
４  在庫管理データベース          ５  レンタル管理サーバ
９  顧客端末                    ９ａ  キーボード
９ｂ  モニタ
【図１】
2004164183.tif 000003
【図２】
2004164183.tif 000004
【図３】
2004164183.tif 000005
【図４】
2004164183.tif 000006
【図５】
2004164183.tif 000007
【図６】
2004164183.tif 000008
【図７】
2004164183.tif 000009
【図８】
2004164183.tif 000010
【図９】
2004164183.tif 000011
【図１０】
2004164183.tif 000012